(57)【要約】      （修正有）【課題】既設のクロスゲートにも適用することができる傾斜地対応のクロスゲートを提供する。【解決手段】クロスバー３によって伸縮可能に組み立てられたゲート本体２を伸縮させることによって傾斜地の出入り口を開閉するようにしたクロスゲートにおいて、出入り口の支柱１の上下部に取り付けられた角クランプ５に垂直に設けられた第１の軸ピン６と、ゲート本体２の両側端部の上下部に設けられたソケット１６とを備え、上下の第１の軸ピン６のゲート本体２側には、それぞれ第１の軸ピン６と同径の第２の軸ピン７を水平かつ垂直方向に回動可能に設けるとともに、一方の第２の軸ピン７を、さらに一方の軸ピンに対して接近離間可能に設け、上下の第２の軸ピン７をそれぞれゲート本体２の上下のソケット１６に回動自在に嵌合した。【選択図】図２
0003151194.tif 000002
【実用新案登録請求の範囲】
【請求項１】
クロスバーによって伸縮可能に組み立てられたゲート本体を伸縮させることによって傾斜地の出入り口を開閉するようにしたクロスゲートにおいて、
上記出入り口の支柱の上下部に取り付けられた角クランプに垂直に設けられた第１の軸ピンと、上記ゲート本体の両側端部の上下部に設けられたソケットとを備え、
上記上下の第１の軸ピンの上記ゲート本体側には、それぞれ第１の軸ピンと同径の第２の軸ピンを水平かつ垂直方向に回動可能に設けるとともに、一方の第２の軸ピンを、さらに上記一方の軸ピンに対して接近離間可能に設け、上記上下の第２の軸ピンをそれぞれゲート本体の上下のソケットに回動自在に嵌合した
ことを特徴とするクロスゲート。
【請求項２】
上記第１の軸ピンには左右に回動可能な可動金具が取り付けられ、第２の軸ピンには固定金具が取り付けられているとともに、上下の一方の可動金具と固定金具とを上下に回動自在に連結するとともに、他方の可動金具と固定金具とは長孔を有する中間リンクを介して回動自在に連結するとともに、中間リンクと可動金具又は固定金具とを連結する一方の連結軸を上記長孔に摺動自在に係合させたことを特徴とする、請求項１に記載のクロスゲート。
【請求項３】
上記支柱１に第１の軸ピンを設け、上記ゲート本体にソケットを設けることに代え、上記支柱にソケットを設け、上記ゲート本体に軸ピンを設けたことを特徴とする、請求項１又は２に記載のクロスゲート。
【考案の詳細な説明】
【技術分野】
【０００１】
この考案は、住宅や車庫、建設現場や資材置場の出入口等に設置される伸縮可能なゲート門扉に関するものであり、特にその設置面が傾斜している場合に適したクロスゲートに関する。
【背景技術】
【０００２】
従来、この種のクロスゲートを含む門扉としては、例えば特許文献１に示したようなものが知られている。この伸縮門扉は、複数の支柱部材と、各支柱部材間に枢着して架設されるクロスバー（桟部材）とを具備し、前記クロスバー同士の角度が変わることによって各支柱部材が相互に離間または接近して伸縮し、開閉されるようになっている。
【０００３】
ところが、出入り口等の設置面が門扉の吊り元側が高く、戸先側が低く傾斜していると、門扉の一端を引き出したときに上記端部が設置面から浮いてしまう。そのため、クロスバーやクロスバー同士の枢支部に無理な力が加わり、枢支部が壊れたり、クロスバーが変形したりするという問題がある。
【０００４】
そこで、前記各クロスバーの中間部に、これらクロスバーの同軸上で長さを変更できる長さ変更機構を設けたことにより、傾斜地に門扉を設置したとき、その傾斜角に対応し前記クロスバーの長さを変更させて前記支柱部材を鉛直姿勢に保持しかつ開閉動作するようにした技術が提案されている（特許文献１参照）。
【０００５】
そして、この従来の伸縮門扉では、長さ変更機構によって、平坦地、傾斜地に拘らず、常に門扉の支柱部材を鉛直な姿勢で設置し、その姿勢で開放させることができるとし、また長さ変更機構は、クロスバーと同軸上に収まりかつその同軸上で作動するので、傾斜地に設置した場合でも、余計なリンクがクロスバーからはみ出さないので、見映えの点でも至って良好であるとしている。
【先行技術文献】
【特許文献】
【０００６】
【特許文献１】特開２００８−１５６８８７号公報
【特許文献２】特開２００５−３３６８１６号公報
【考案の概要】
【考案が解決しようとする課題】
【０００７】
しかしながら、上記従来の伸縮門扉は、各クロスバーに同軸上で長さを変更する長さ変更機構を設けなければならなかったので、構造が複雑になるほか、１箇所でも長さ変更機構が故障すると他に無理な力が加わるので、他の長さ変更機構も故障したり、クロスバーが変形したりする可能性が高いという問題点を有していた。
【０００８】
また、傾斜地専用の機構となっているので、既に設置されているゲート本体はいったん除去して新機構のゲート本体と交換しなければならないという問題があった。
【０００９】
本考案は上記問題点を解消し、クロスバーを特別な構造にしなくても傾斜した設置面に対応してどこにも無理な荷重がかからず良好な状態に設置することができるとともに、既設のクロスゲートにも適用することができる傾斜地対応のクロスゲートを提供することをその課題とする。
【課題を解決するための手段】
【００１０】
上記課題を解決するため、請求項1に係る考案は、クロスバーによって伸縮可能に組み立てられたゲート本体を伸縮させることによって傾斜地の出入り口を開閉するようにしたクロスゲートにおいて、上記出入り口の支柱の上下部に取り付けられた角クランプに垂直に設けられた第１の軸ピンと、上記ゲート本体の両側端部の上下部に設けられたソケットとを備え、上記上下の第１の軸ピンの上記ゲート本体側には、それぞれ第１の軸ピンと同径の第２の軸ピンを水平かつ垂直方向に回動可能に設けるとともに、一方の第２の軸ピンを、さらに上記一方の軸ピンに対して接近離間可能に設け、上記上下の第２の軸ピンをそれぞれゲート本体の上下のソケットに回動自在に嵌合したことを特徴とする。
【００１１】
請求項２に係る考案は、請求項１において、上記第１の軸ピンには左右に回動可能な可動金具が取り付けられ、第２の軸ピンには固定金具が取り付けられているとともに、上下の一方の可動金具と固定金具とを上下に回動自在に連結するとともに、他方の可動金具と固定金具とは長孔を有する中間リンクを介して回動自在に連結するとともに、中間リンクと可動金具又は固定金具とを連結する一方の連結軸を上記長孔に摺動自在に係合させたことを特徴とする。
【００１２】
請求項３に係る考案は、請求項１又は２において、上記支柱に第１の軸ピンを設け、上記ゲート本体にソケットを設けることに代え、上記支柱にソケットを設け、上記ゲート本体に軸ピンを設けたことを特徴とする。
【考案の効果】
【００１３】
請求項１又は請求項２に係る考案によれば、上記クロスゲートを平坦地に設置したときは、通常のクロスゲートと同様にして開閉作動することができる。なお、ゲート本体は第１の軸ピンを中心に水平方向に回動させることによって出入り口から退避させることができる。
【００１４】
これに対し、出入り口の設置面が傾斜地であるときは、支柱は垂直に設けられているのに対し、ゲート本体は斜めになるので、ゲート本体の上下部のうち一方は支柱と同じ距離に保持されるが、他方は支柱から引き離される。このため、引き離される方では中間リンクが第１の連結軸を中心に回動し、さらに第２の連結軸が中間リンクの長孔に沿って摺動し、ゲート本体は傾斜地の勾配に対応して傾いた状態で安定する。このため、ゲート本体を構成するクロスバーの一部に負荷が集中するということはない。したがって、クロスバーを特別な構造にしなくても傾斜した設置面に対応してどこにも無理な荷重がかからず良好な状態に設置することができる。
【００１５】
また、第１の軸ピンと第２の軸ピンは同径であり、一般には、クロスゲートは第１の軸ピンをソケットに回動自在に嵌合させる構成のものが多いので、既設のクロスゲートの軸ピン（第１の軸ピン）に可動金具や固定金具を介して第２の軸ピンを追加して設けるだけで、上述の傾斜対応のクロスゲートにすることができる。
【００１６】
請求項３に係る考案によっても、上述と同じ作用効果を得ることができる。
【図面の簡単な説明】
【００１７】
【図１】本発明に係るクロスゲートの全体の正面図。
【図２】上記クロスゲートの要部の拡大図。
【図３】上記クロスゲートの連結金具部分の説明図。
【図４】（ａ）（ｂ）は一方の連結金具の組み立て態様説明図。
【図５】他方の連結金具の平面図。
【図６】設置面が平坦な場合におけるクロスゲート開放状態を示す正面図。
【図７】設置面が平坦な場合におけるクロスゲート閉鎖状態を示す正面図。
【図８】ゲート本体を水平方向に回動させた状態を示す平面図。
【図９】設置面が傾斜した場合におけるクロスゲート開放状態を示す正面図。
【図１０】設置面が傾斜した場合におけるクロスゲート閉鎖状態を示す正面図。
【図１１】図１０の一部を簡略に示した拡大正面図。
【図１２】両開きタイプのクロスゲートの開放状態を示す正面図。
【図１３】上記クロスゲートの閉鎖状態を示す正面図。
【考案を実施するための形態】
【００１８】
図１は本考案に係るクロスゲートの一実施形態を示すもので、同図において符号１は支柱を示す。支柱１は工場等の敷地の出入り口の両側に設けられている。支柱１の内側にはゲート本体２が開閉自在に配置されている。ゲート本体２は複数のクロスバー３と縦桟４とによって伸縮可能に組み立てられているもので、伸長時には上記出入り口を閉じ、収縮時には入り口を開くように構成されている。また、収縮時にはさらに支柱１のまわりに回動して上記出入り口を最大限まで開放することができるようになっている。
【００１９】
すなわち、ゲート本体２は複数の縦桟４に複数のクロスバー３を交差させてなり、クロスバー３の角度と縦桟４間の距離を変えることにより伸縮できるように構成されている。なお、縦桟４間に目隠しパネル２０が折畳み展開可能に配設されている場合もある。
【００２０】
図２に示されるように、上記出入り口の支柱１の上下部には角クランプ５が取り付けられ、角クランプ５には第１の軸ピン６が垂直に設けられている。また、上下の第１の軸ピン６には、連結金具Ａ、Ｂを介してゲート本体２側に、それぞれ第１の軸ピン６と同径の第２の軸ピン７が設けられている。
【００２１】
図３及び図４（ａ）（ｂ）に示されるように、連結金具Ａは、第１の軸ピン６に水平方向に回動可能に設けられた可動金具８と、第２の軸ピン７に固定された固定金具９とを連結軸１２によって垂直方向に回動自在に連結したものである。第１の軸ピン６は可動金具８の筒部８ａに回動可能に嵌合している。
【００２２】
これに対し、連結金具Ｂは、図３及び図５に示されるように、第１の軸ピン６に水平方向に回動可能に設けられた可動金具８と、第２の軸ピン７に固定された固定金具９と、可動金具８と固定金具９とを垂直方向に回動自在に連結する中間リンク１０とから構成されている。可動金具８と中間リンク１０とは連結軸１３によって、また、中間リンク１０と固定金具９とは連結軸１４によって連結されている。連結軸１４は中間リンク１０の長手方向に沿って形成された長孔１５に摺動自在に係合している。
【００２３】
連結金具Ａは、ゲート本体２の対角位置で、図１及び図２に向かって左下と右上の位置に設けられ、可動金具８と固定金具９が連結軸１２を中心に垂直方向に回動可能に連結されている。ゲート本体２の対角位置、つまり図１に向かって左上と右下の位置においては、連結金具Ｂが配置されている。そして、可動金具８と固定金具９が連結軸１３、１４を中心に上下に回動可能に連結されているとともに、可動金具８と固定金具９とは接近離間可能に設けられている。
【００２４】
次に、上記ゲート本体２の両側端部の縦桟４の上下部にはソケット１６が設けられている。ソケット１６はゲート本体２の両側の縦桟４の両側に配置固定されたソケット部材の上下端部によって形成されている。したがって、ソケット１６の上部は上方に、下部は下方に開口している。なお、可動金具８は図示しない松葉ピン等によって抜け出さないようにしておくのが好ましい。
【００２５】
次に、４個の連結金具Ａ、Ｂの上下の第２の軸ピン７はそれぞれゲート本体２の上下のソケット１６に回動自在に嵌合されている。
【００２６】
上記構成によれば、上記クロスゲートを平坦地に設置したときは、図６及び図７に示されるように、通常のクロスゲートと同様にして開閉作動することができる。なお、ゲート本体２を、図８に示されるように、第１の軸ピン６を中心に水平方向に回動させることによって出入り口から退避させ、出入り口を最大に開放させることができる。
【００２７】
これに対し、出入り口の設置面が傾斜地であるときは、図９に示されるように、支柱１は垂直に設けられているのに対し、ゲート本体２は斜めになるので、左下の部分は支柱１と同じ距離に保持されるが、同図の左上の部分は支柱１から引き離される。このため、中間リンク１０は連結軸１３を中心に回動し、さらに連結軸１４は中間リンク１０の長孔１５の端部まで摺動して安定する。この状態では、ゲート本体２は傾斜地の勾配に対応して傾くが、クロスバー３のどこにも無理な荷重がかからない。そして、クロスゲートを閉鎖するときは、図１０及び図１１に示すように、ゲート本体２を伸長し、最後にその右上の部分と右下の部分の角クランプ５を支柱１に取り付けると閉鎖作業が完了する。
【００２８】
したがって、クロスバー３を特別な構造にしなくても傾斜した設置面に対応してどこにも無理な荷重がかからず良好な状態に設置することができる。
【００２９】
なお、出入り口の設置面の傾斜が逆勾配のときは、連結金具Ａ、Ｂの配置を逆にすればよい。
【００３０】
また、第１の軸ピン６と第２の軸ピン７は同径であり、一般には、クロスゲートは、クロスバー３によって伸縮可能に組み立てられたゲート本体２を工場等の敷地の出入り口に設けられた支柱１に取り付けるときは、支柱１に回動軸となる軸ピンを固定した角クランプ５を取り付ける一方、ゲート本体２の端部にはソケット１６を取り付け、このソケット１６に上記軸ピンを回動自在に嵌合することに構成されているものが多い。したがって、クロスゲートは第１の軸ピン６をソケット１６に回動自在に嵌合させる構成のものが多いので、既設のクロスゲートの軸ピン（第１の軸ピン６）に可動金具８や固定金具９を介して第２の軸ピン７を追加して設けるだけで、上述の傾斜対応のクロスゲートにすることができる。
【００３１】
なお、上述のように、支柱１に第１の軸ピン６を設け、ゲート本体２にソケット１６を設けることに代え、支柱１にソケットを設け、ゲート本体２に第１の軸ピンを設ける構成としてもよい。
【００３２】
また、クロスゲートが図１２のように両開き構成であっても、上述の形態と同様、図１３のように閉鎖することができる。なお、この場合は、両側のゲート本体２の突合せ部には連結金具Ａ、Ｂは使用されていないが、前述のゲート本体２を２つに分割したものと考えることができる。
【符号の説明】
【００３３】
１    支柱
２    ゲート本体
３    クロスバー
６    第１の軸ピン
７    第２の軸ピン
８    可動金具
９    固定金具
１０  中間リンク
１２、１３、１４  連結軸
１５  長孔
１６  ソケット
【図１】
0003151194.tif 000003
【図２】
0003151194.tif 000004
【図３】
0003151194.tif 000005
【図４】
0003151194.tif 000006
【図５】
0003151194.tif 000007
【図６】
0003151194.tif 000008
【図７】
0003151194.tif 000009
【図８】
0003151194.tif 000010
【図９】
0003151194.tif 000011
【図１０】
0003151194.tif 000012
【図１１】
0003151194.tif 000013
【図１２】
0003151194.tif 000014
【図１３】
0003151194.tif 000015